(57)【要約】【課題】一対の室外側配管にそれぞれ接続されている一対のコンセント本体(10)と、コンセント本体(10)が収容される接続孔(11)(12)を具備するケース体(2)からなり、コンセント本体(10)内に、循環流路を開閉する弁体(4)と、弁体(4)を弁座(14)に圧接させる付勢手段(18)を収容させた温水コンセントに関し、循環水の凍結によりコンセント本体(10)内に凍結膨張圧力が作用しても、構成部品の破損を防止でき、容易に且つ迅速に凍結状態を確認して、器具を再起動できるようにすること。【解決手段】コンセント本体(10)の内周面に対して外周気密状態で且つ進退移動可能に収容されている筒部材(13)の奥側端に弁座(14)を設け、筒部材(13)は進出時には室内側へ突出し、ケース体(2)とコンセント本体(10)との間に、筒部材(13)を抜け止め状態に保持すると共に初期位置に復帰させる規制部材を設けたこと。【選択図】図３
2008275202.tif 000002
【特許請求の範囲】
【請求項１】
室外の熱源器から延長する一対の室外側配管にそれぞれ接続されていると共に、室内側壁面又は床面に設けた開口内に設置され且つ室内の放熱器から延長される一対の室内側配管の接続端部が着脱自在に接続可能な一対の筒状のコンセント本体と、
前記コンセント本体がそれぞれ収容される一対の接続孔が形成されたケース体とからなり、
前記コンセント本体内に、前記室内側配管の前記接続端部の接続によって開弁する弁体と、前記弁体を弁座に圧接する方向へ付勢する付勢手段が設けられている温水コンセントにおいて、
前記弁座は、前記コンセント本体の内周面に対して外周気密状態で且つ進退移動可能に収容されている筒部材の奥側端に設けられ、
前記筒部材は、進出時には前記開口から室内側へ突出するように設定されており、
前記ケース体と前記コンセント本体との間に、前記筒部材を抜け止め状態に保持すると共に初期位置に復帰させる規制部材が設けられていることを特徴とする温水コンセント。
【請求項２】
請求項１に記載の温水コンセントにおいて、前記規制部材は、コンセント本体にそれぞれ外嵌し且つ前記筒部材と共に進退移動する一対の移動筒と、前記移動筒と前記ケース体との間にそれぞれ介在され且つ前記移動筒を前記筒部材と共に初期位置に復帰させる方向に付勢するバネとからなることを特徴とする温水コンセント。
【請求項３】
請求項２に記載の温水コンセントにおいて、前記筒部材内に密に嵌入可能な一対の挿入部と、前記挿入部間に突設されている係合片を具備する保護キャップが設けられ、
前記一対の移動筒は連結部によって並列状態に連結されていると共に、
前記係合片が抜け止め状態に係合する係合部は、前記連結部に設けられていることを特徴とする温水コンセント。
【請求項４】
請求項１から請求項３のいずれかに記載の温水コンセントにおいて、室内側壁面又は床面に、前記開口全体を覆う被覆蓋が設けられ、前記被覆蓋のうち、前記ケース体に対応する部分は、室内側へ揺動可能な揺動板により構成されていることを特徴とする温水コンセント。
【発明の詳細な説明】
【技術分野】
【０００１】
本発明は、温水コンセント、特に、室外の熱源機から延びる室外側温水配管の先端に装着されて、室内壁面又は床面等に設置されるケース体内に収容されている温水コンセントに関する。
【背景技術】
【０００２】
温水循環暖房装置に使用される温水コンセント(1)は、図４及び図５に示すように、室外の熱源機（図示せず）から延びる一対の室外側配管(16a)(16b)の先端に接続されるコンセント本体(10)が、合成樹脂製の小判状のケース体(2)内に収容されているもので、ケース体(2)には、室内の放熱機から延びる室内側配管の先端に設けられた接続端部としての温水プラグのプラグ筒（図示せず）が差し込まれる接続孔(11)(12)と、これら接続孔(11)(12)の間に設けられ且つ前記温水プラグを抜け止め状態に係合させるための係合部(15)と、前記温水プラグの電気端子が接続される電気接続用孔(17)が設けられている。
【０００３】
ケース体(2)の外周域にはフランジ部(21)が張り出しており、前記フランジ部(21)が、複数の取付ネジ(22)(22)によって、壁面(W)に設けられた開口(W0)に嵌め込まれて固定される箱体(20)内にネジ止めされている。
【０００４】
コンセント本体(10)は、接続孔(11)(12)内にそれぞれ収容される筒体であり、内部には弁体(4)と、前記弁体(4)を室内側へ付勢するバネ(18)とが収容されていると共に、コンセント本体(10)の開放端には、前記バネ(18)の付勢力によって室内側に押された弁体(4)が圧接する弁座(14)を有する筒部材(13)が水密状態に設けられている。前記筒部材(13)は、接続孔(11)(12)の内周面にそれぞれ固定されると共に、筒部材(13)内に前記温水プラグのプラグ筒が差込可能となっている。前記温水プラグのプラグ筒を前記筒部材(13)内に差し込んで、前記弁体(4)を開弁させることにより、前記室外側配管と室内側配管とが連通し、熱源機と放熱機との間に循環流路が構成される。
【０００５】
箱体(20)が壁(W)の開口(W0)内に嵌め込まれた状態にて、ケース体(2)の周囲は、化粧板(24)によって被覆されており、温水コンセント(1)の使用時には、化粧板(24)の開放部(24a)から、ケース体(2)の小判型の頂面のみが露出する態様となる。
【０００６】
又、不使用時には、接続孔(11)(12)に保護キャップ(3)が装着され、前記化粧板(24)の開放部(24a)は、被覆蓋(25)によって被覆される。
尚、図５の中央の横破断線の上方は、被覆蓋(25)を開放し、保護キャップ(3)で接続孔(11)(12)を閉塞させた状態における図４の接続孔(11)又は(12)を縦に通る線での要部拡大断面図であり、前記横破断線の下方は、図４の縦中央線での要部拡大断面図を表している。
【０００７】
この温水コンセント(1)を使用するには、被覆蓋(25)のスライド板(25a)を上方にスライドさせて開放部(24a)を開放させ、ケース体(2)の接続孔(11)(12)に、前記温水プラグのプラグ部を接続させる。これにより、前記接続孔(11)(12)の奥に内蔵されている弁体(4)及び前記プラグ部に内蔵されている弁体が各々開弁し、温水の循環流路が連通する。
【０００８】
そして、前記プラグ部を温水コンセント(1)から引き抜いて取り外すと、前記弁体(4)は、前記バネ(18)の復帰力により室内側へ押される方向に付勢されると共に前記弁座(14)に圧接されて閉弁させられるため、接続孔(11)(12)から温水が漏れることなく、前記循環流路は切断される。
【０００９】
この従来の温水コンセントでは、不使用時に、コンセント本体(10)内、又は、室外側配管(16a)(16b)内の残留水が凍結した場合、凍結による体積膨張によって、前記弁体(4)が接続孔(11)(12)の開放端に固定されている筒部材(13)を押圧する方向に膨張圧力が作用する。この圧力に合成樹脂製のケース体(2)が耐え切れなかった場合、ケース体(2)やその周辺の構成部品が破損するといった不都合がある。
【００１０】
このような不都合を解消するために、凍結を防止しなければならず、このために、室外の熱源機を室内の放熱機と共に稼働させ続けることがある。これでは、エネルギーを無駄に消費してしまう上に、未入居住宅や長期不在時には対処することができない。
【００１１】
上記不都合を解消するために、特開平７−９１６７７号公報に開示のものが発明されている（特許文献１参照）。このものでは、室外の熱源機で製造された温水を配管に送り込むための温水ヘッダーに、凍結膨張圧力によって破壊される安全装置としての膜体を設けたもので、凍結が始まった場合、前記膜体が破壊することによって、温水ヘッダーの内圧を外部に逃がすと共に、前記熱源機内の水を前記温水ヘッダーから抜いて、熱源機内の温水回路が凍結により損傷しないようにしている。
【特許文献１】特開平７−９１６７７号公報
【特許文献２】実公昭６１−２６４５２号公報
【発明の開示】
【発明が解決しようとする課題】
【００１２】
しかしながら、凍結膨張圧力によって破壊される構成の安全装置を具備するものでは、安全装置（膜体）が破壊されて、熱源機内の水が外部に抜けるまで、循環水の凍結を確認することができず、そのため、器具の点検も遅れてしまう。又、循環水を抜いてしまうため、温水循環暖房装置を再度使用する場合には、循環水を補給しなければならない上に、引き続き、器具を使用する場合には、安全装置としての膜体を再生しなければならない。
【００１３】
本発明は、『室外の熱源器から延長する一対の室外側配管にそれぞれ接続されていると共に、室内側壁面又は床面に設けた開口内に設置され且つ室内の放熱器から延長される一対の室内側配管の接続端部が着脱自在に接続可能な一対の筒状のコンセント本体と、
前記コンセント本体がそれぞれ収容される一対の接続孔が形成されたケース体とからなり、
前記コンセント本体内に、前記室内側配管の前記接続端部の接続によって開弁する弁体と、前記弁体を弁座に圧接する方向へ付勢する付勢手段が設けられている温水コンセント』において、前記室外側配管内の循環水の凍結によりコンセント本体内に凍結膨張圧力が作用しても、コンセント本体及びその周辺の構成部品が破損することを防止できるようにすると共に、容易に且つ迅速に凍結状態を確認して、器具を再起動できるようにすることを課題とする。
【課題を解決するための手段】
【００１４】
(1)請求項１に係る発明の温水コンセントは、『前記弁座は、前記コンセント本体の内周面に対して外周気密状態で且つ進退移動可能に収容されている筒部材の奥側端に設けられ、
前記筒部材は、進出時には前記開口から室内側へ突出するように設定されており、
前記ケース体と前記コンセント本体との間に、前記筒部材を抜け止め状態に保持すると共に初期位置に復帰させる規制部材が設けられていること』を特徴とするものである。
ケース体の接続孔に、室内側配管の接続端部として、例えば、温水プラグのプラグ筒を接続させると、接続孔内に収容されているコンセント本体内の弁体が開弁し、室外側配管と室内側配管とが連通し、室外の熱源機と室内の放熱機との間に、循環流路が形成される。そして、前記温水プラグを前記接続孔から引き抜くと、前記弁体は付勢手段の付勢力によって、前記筒部材の奥側端に設けられている弁座に圧接することにより閉弁し、前記循環流路は遮断される。通常、筒部材は規制部材によって、コンセント本体内の初期位置に保持されており、前記付勢力による前記弁体の弁座への圧接を可能にしている。
【００１５】
この閉弁状態において、室外の熱源器から室外側配管を介して前記コンセント本体に至る流路内に残存している循環水に凍結が生じると、凍結膨張圧力がコンセント本体内の弁体に作用し、前記弁体が強い力で弁座を押圧する。その結果、弁座が設けられている筒部材は、規制部材に抗して、前記コンセント本体の開放部側へ進出移動する。このとき、筒部材とコンセント本体の内壁との間は外周気密状態に保たれているから、内部に残存している水が漏れることはない。又、筒部材は、規制部材によって抜け止め状態に保持されていると共に、筒部材の室内側開放端部は進出移動によって室内へ突出するように設定されているから、循環水が凍結を始めたことを室内から確認することができる。その後、凍結位置を調査して当該部分の凍結を解除させると、筒部材は、前記規制部材によって初期位置に復帰させられる。これにより、引き続き放熱器を使用することができる。
【００１６】
（２）請求項２に係る発明の温水コンセントは、請求項１に記載のものにおいて、『前記規制部材は、コンセント本体にそれぞれ外嵌し且つ前記筒部材と共に進退移動する一対の移動筒と、前記移動筒と前記ケース体との間にそれぞれ介在され且つ前記移動筒を前記筒部材と共に初期位置に復帰させる方向に付勢するバネとからなる』もので、前記凍結膨張圧力が弁体に作用することにより、筒部材が前記弁体に押されて進出すると、移動筒も、前記バネの付勢力に抗して、筒部材と共に進出方向に移動する。凍結が解除されると、前記バネの付勢力によって、移動筒は筒部材と共に初期位置に復帰する。
【００１７】
（３）請求項３に係る発明の温水コンセントは、請求項２に記載のものにおいて、『前記筒部材内に密に嵌入可能な一対の挿入部と、前記挿入部間に突設されている係合片を具備する保護キャップが設けられ、
前記一対の移動筒は連結部によって並列状態に連結されていると共に、
前記係合片が抜け止め状態に係合する係合部は、前記連結部に設けられている』もので、放熱機の不使用時にて、コンセント本体内の筒部材に挿入部をそれぞれ密に挿入すると共に、挿入部間に設けた係合片を、一対の移動筒を連結している連結部に設けた係合部に係合させることにより、保護キャップを抜け止め状態に装着することができ、接続孔を保護することができる。循環水の凍結による凍結膨張圧力の作用によって弁体が弁座を強く押圧すると、弁座が設けられている筒部材が移動筒と共に進出方向に移動する。これにより、保護キャップも、挿入部が筒部材に差し込まれ且つ係合片が係合部に係合した状態のままで進出方向に移動する。すなわち、保護キャップを装着させたままで、循環水の凍結を室内側から確認することができる。
【００１８】
（４）請求項４に係る発明の温水コンセントは、上記各請求項に記載のものにおいて、『室内側壁面又は床面に、前記開口全体を覆う被覆蓋が設けられ、前記被覆蓋のうち、前記ケース体に対応する部分は、室内側へ揺動可能な揺動板により構成されている』もので、被覆蓋で前記室内側壁面又は床面に設けられた開口全体を被覆させた状態にて、循環水の凍結による凍結膨張圧力によって、筒部材が弁体によって進出方向に押され、ケース体の接続孔の開放端よりも室内側に進出した場合、被覆蓋が内面から押圧されることとなるが、前記被覆蓋のうち、ケース体に対応する部分には、揺動板が設けられているから、前記筒部材の進出（請求項２では移動筒の進出、さらに、請求項３では保護キャップの進出）によって、揺動板が内方から押されることとなり、室内側へ揺動する。
【発明の効果】
【００１９】
以上のように、請求項１に係る発明によれば、循環水の凍結により、凍結膨張圧力が作用すると、その膨張圧力に応じて弁体及び弁座を移動させることができるようにしたから、コンセント本体及びその周辺の構成部品に無理な負荷が生じて割れたり変形したりして損傷する不都合がない。よって、凍結防止のために室外の熱源機や室内の放熱機を稼動させる必要がなく、省エネに貢献できる上に、未入居住宅にも予め取り付けておくことができ、長期不在中の凍結にも対応することができる。
【００２０】
又、筒部材の移動によって、凍結が発生したことを室内で確認することができるから、凍結に対して迅速に対処することができる。凍結が解除されると、筒部材は自動的に初期位置に復帰する構成となっているから、部品を交換することも、循環水を供給させる必要もない。従って、放熱機の再起動を容易且つ迅速に行うことが出来る。
【００２１】
また、請求項２に係る発明によれば、バネの付勢力によって、移動筒を自動的に初期位置に復帰させることができるから、凍結解除後の温水コンセントの復旧が迅速且つ確実となる。
【００２２】
また、請求項３に係る発明によれば、保護キャップを装着させた状態にて凍結が始まっても、保護キャップは弁体によって押される筒部材及び移動筒と共に進出方向に移動するから、保護キャップを装着させたままでも凍結膨張圧力に対応することができ、保護キャップ自体が破損する不都合もない。又、保護キャップの進出によって凍結を室内側から確認することができる。
【００２３】
また、請求項４に係る発明によれば、凍結膨張圧力によって筒部材や規制部材等が進出方向に移動すると、被覆蓋のうち、揺動板が室内側に揺動することとなるから、凍結によって被覆蓋が破損する不都合はなく、又、被覆蓋を閉塞させた状態のままで、凍結状態を知ることができる。凍結を確認するために、被覆蓋を開けておく必要がないので、温水コンセントの不使用時における壁面や床面に設けた開口からゴミ等が入り込む不都合を防止できると共に、体裁も良い。
【発明を実施するための最良の形態】
【００２４】
以下に、本発明を実施するための最良の形態について添付図面を参照しながら説明する。
図１は、本願発明の実施の形態の温水コンセント(1)の開放端に保護キャップ(3)を装着させていると共に、その状態にて被覆蓋(25)で閉塞させた状態を示す要部拡大縦断面図であり、図２は、図１の中央横断面図である。
【００２５】
この温水コンセント(1)は、従来例で示したものと同様に、室外に設置されて循環水を加熱する熱源機（図示せず）から延びる室外側配管(16a)(16b)の先端にそれぞれ装着される一対のコンセント本体(10)(10)と、これらを収容可能な接続孔(11)(12)を具備するケース体(2)を備えており、前記ケース体(2)は、壁面(W)に設けた開口(W0)内に嵌め込まれて固定される箱体(20)内に前記接続孔(11)(12)が水平方向に並列するように、フランジ部(21)を介して取付けられている。
【００２６】
各コンセント本体(10)(10)の室内側の開放端部(10a)(10a)は、ケース体(2)内の接続孔(11)(12)の開放端よりも室内側に突出していると共に、コンセント本体(10)(10)内には、前記開放端部(10a)(10a)に室内側から当接する当接片(13a)(13a)が設けられている筒部材(13)(13)と、弁体(4)と、前記弁体(4)を前記筒部材(13)(13)の奥側端に設けられている弁座(14)(14)に圧接させる付勢力を有するバネ(18)(18)が各々収容されている。
【００２７】
筒部材(13)は、コンセント本体(10)の内周面に対して外周気密状態で且つ進退自在に収容されてあり、室内側配管の先端に設けられた温水プラグのプラグ筒（図示せず）が差し込み可能となっている。
【００２８】
コンセント本体(10)の外周面には、筒部材(13)の室内側開放端に当接する第１鍔部(26a)を有する移動筒(26)が前記外周面に対して進退可能に外嵌しており、前記移動筒(26)の奥側端部には、第２鍔部(26b)が、前記第１鍔部(26a)とは逆方向（外方）に張り出していると共に、移動筒(26)の外側に設けられているケース体(2)の開放端から内方に張り出させた鍔部(2a)との間に、バネ(28)が介在されている。
【００２９】
このバネ(28)の付勢力によって、移動筒(26)及び筒部材(13)が室外側へ付勢され、バネ(18)の付勢力によって、弁体(4)が筒部材(13)に設けられている弁座(14)に圧接されている。これが、不使用状態にある温水コンセント(1)の通常の状態である。
前記移動筒(26)(26)は、図２に示すように、連結部(27)によって連結されており、前記連結部(27)の中央には、前記温水プラグのプラグ筒を抜け止め状態に係合させるための所定の深さを有する矩形の係合部(23)が貫通している。
【００３０】
係合部(23)は、温水コンセント(1)に温水プラグが装着されていない状態においては、保護キャップ(3)の係合片(30)が抜け止め状態に係合可能となっている。
保護キャップ(3)は、温水コンセント(1)の不使用時においてコンセント本体(10)に装着させて、接続孔(11)(12)からの温水の漏れを防止するためのものであり、接続孔(11)(12)にそれぞれ嵌め込まれる一対の筒状の挿入部(31)(32)と、これらを並列状態に連結させている板状の連結部材(33)と、前記連結部材(33)の中央で且つ前記挿入部(31)(32)の間に前記挿入部(31)(32)と同方向に突出させている係合片(30)と、前記係合片(30)の間に板バネを介して取付けられているボールチェーン(5)とから構成されている。
【００３１】
挿入部(31)(32)の胴部外周には、シール性を確保するためのＯリング(34)がそれぞれ装着されており、挿入部(31)(32)が筒部材(13)内に水密状態に嵌入されると同時に、係合片(30)が前記係合部(23)に抜け止め状態に差し込まれて装着される。
前記保護キャップ(3)を装着させた状態にて、前記箱体(20)の開放部は、被覆蓋(25)によって開放自在に閉塞される構成となっている。尚、被覆蓋(25)には、図４の従来例と同様に、小判型の開放部(24a)が形成されており、図５のように、スライド蓋(25a)を上方へスライドさせると、前記接続孔(11)(12)及び係合部(23)を具備するケース体(2)の頂面が前記開放部(24a)から露出する態様となる。
【００３２】
又、スライド蓋(25a)の前記開放部(24a)に対応する正面部分は、図１に示すように、室内側へ揺動可能な揺動板(35)として、スライド蓋(25a)の下端部に軸支されている。
温水コンセント(1)を使用する際には、被覆蓋(25)のスライド板(25a)を上方へスライドさせて開放部(24a)を開放させ、ボールチェーン(5)を引っ張って、保護キャップ(3)をコンセント本体(10)から取り外す。保護キャップ(5)は、ボールチェーン(5)を引っ張ることにより前記板バネが弾性変形し、係合片(30)の係合部(23)への係合が解除され、容易に取り外されることとなる。
【００３３】
そして、図示しないが、温水プラグの一対のプラグ筒をコンセント本体(10)の筒部材(13)内に差し込むと同時に、中央の係合片を係合部(23)に係合させれば、温水プラグは温水コンセント(1)に対して抜け止め状態に接続され、室外の熱源機と室内の放熱機とが流路接続及び電気接続することにより、室側配管(16a)(16b)と室内側配管との間に循環流路が形成され循環水が循環する。
【００３４】
使用後は、前記温水プラグを取り外し、コンセント本体(10)(10)に保護キャップ(3)を装着させると共に、スライド板(25a)を下方へスライドさせて、被覆蓋(25)の開放部(24a)を閉塞させる。この温水コンセント(1)の不使用時に、温水コンセント(1)内、室外側配管(16a)(16b)内、さらには、熱源機内に残存する循環水が凍結して体積が膨張した場合、凍結膨張圧力により、弁体(4)が室内側へ押される。
【００３５】
凍結膨張圧力によって、弁体(4)が室内側へ押されると、図３に示すように、弁座(14)を有する筒部材(13)が室内側へ押され、これに伴って移動筒(26)も、バネ(28)の付勢力に抗して室内側へ移動する。保護キャップ(3)の挿入部(31)(32)は筒部材(13)内に密に挿入されていると共に、保護キャップ(3)の係合片(30)は移動筒(26)の係合部(23)に係合しているため、筒部材(13)及び移動筒(26)が移動と共に、保護キャップ(3)も同方向に移動する。
このとき、筒部材(13)はコンセント本体(10)の内周面に対して外周気密状態に移動可能であるから、コンセント本体(10)の開放端(10a)から循環水が漏れることはない。
【００３６】
保護キャップ(3)が開放部(24a)から室内側へ突出し、被覆蓋(25)のスライド板(25a)の下端に設けられている移動筒(26)を内方から押圧するまで進出すると、移動筒(26)は保護キャップ(3)に押されて、室内側へ揺動する。
【００３７】
このように、循環水が凍結し、温水コンセント(1)内で凍結膨張圧力が作用することにより、弁体(4)が室内側へ押されると、温水コンセント(1)を構成している、筒部材(13)や移動筒(26)、さらには、筒部材(13)及び移動筒(26)内に装着されている保護キャップ(3)が、弁体(4)と共に移動可能としたから、循環水の凍結による凍結膨張圧力によって、温水コンセント(1)の構成部品が損傷することがない上に、被覆蓋(25)を開けておかなくても揺動板(35)の揺動によって、循環水が凍結したことを知ることができる。
【００３８】
凍結が確認されると、凍結箇所を調査し、凍結を解除すると、バネ(28)の付勢力によって、移動筒(26)が初期位置に復帰する方向へ付勢されることにより、筒部材(13)及び保護キャップ(3)、さらには、揺動板(35)も初期位置に復帰する。
【００３９】
そして、スライド板(25a)を上方へスライドさせて、各部品が初期位置に復帰させられた温水コンセント(1)に、温水プラグを差し込むと、構成部品を取り替える必要も、循環水を供給する必要もなく、温水循環暖房装置等の室内側放熱機を引き続き使用することができる。
【図面の簡単な説明】
【００４０】
【図１】本願発明の実施の形態の温水コンセントの通常の不使用状態を示す要部拡大縦断面図。
【図２】図１の中央横断面図。
【図３】本願発明の実施の形態の温水コンセントに凍結膨張圧力が作用した状態を示す要部拡大縦断面図。
【図４】従来の温水コンセントの正面図。
【図５】従来の温水コンセントの不使用状態を示す要部拡大縦断面図。
【符号の説明】
【００４１】
(1) ・・・・・・・・温水コンセント
(10)・・・・・・・・コンセント本体
(11)(12)・・・・・・接続孔
(13)・・・・・・・・筒部材
(14)・・・・・・・・弁座
(16a)(16b)・・・・・室外側配管
(18)・・・・・・・・付勢手段（バネ）
(4) ・・・・・・・・弁体
(2) ・・・・・・・・ケース体
(W0)・・・・・・・・開口
【図１】
2008275202.tif 000003
【図２】
2008275202.tif 000004
【図３】
2008275202.tif 000005
【図４】
2008275202.tif 000006
【図５】
2008275202.tif 000007